(57)【要約】【課題】  簡易な構成で傾斜角度が変更可能な構成の表示部を備える複合プリンタ装置を提供する。【解決手段】  複合プリンタ装置は、ＬＣＤハウジング３と、ＬＣＤハウジング３を支持するための支持ピン１１を含むトップハウジング５と、幅方向に延びるように複数の凸条２０が形成された係合部材１０とを備える。ＬＣＤハウジング３は、係止爪１２を含む。トップハウジング５は、係止爪１２と対向する位置に開口部を有する。係合部材１０は、凸条２０が係止爪１２と接触するように開口部に配置されている。係合部材１０は、幅方向に延びるように形成された切り込み部２７を有する。切り込み部２７は、凸条２０が形成されている部分のうち、支持部２８が形成されている側の端部に形成されている。【選択図】        図８
2006168173.tif 000002
【特許請求の範囲】
【請求項１】
ＬＣＤユニットを幅方向の両側から支持するための支持ピンを含むトップハウジングと、
一方の端部の側面に前記支持ピンを挿入するための挿入部を含むＬＣＤユニットと、
前記幅方向に延びるように複数の凸条が形成され、前記トップハウジングに支持されるための支持部を含む係合部材と
を備え、
前記ＬＣＤユニットは、前記一方の端部に外側に向かうように形成された係止爪を含み、
前記係合部材は、前記幅方向に延びるように形成された切り込み部を有し、
前記切り込み部は、前記凸条が形成されている部分のうち、前記支持部が形成されている側の端部に形成され、
前記トップハウジングは、前記係止爪と対向する位置に開口部を有し、
前記係合部材は、前記凸条が前記係止爪と接触するように前記開口部に配置され、
前記支持ピンが前記挿入部に挿入されることによって、前記支持ピンを軸として前記ＬＣＤユニットの傾斜角度が変更可能に形成され、
前記係止爪が前記凸条同士の間に配置されることにより、前記ＬＣＤユニットの前記傾斜角度が固定されるように形成された、複合プリンタ装置。
【請求項２】
枠体と、
前記枠体の表面に対する傾斜角度が変更可能に形成された表示部と
を備え、
前記表示部は、一方の端部の幅方向の側面が前記枠体に支持され、
前記表示部は、前記一方の端部に、外側に向かうように形成された係止爪を含み、
前記枠体は、前記係止爪に接触する係合部を含み、
前記係合部は、前記係止爪に接触する側の表面に複数の凸条を含み、
前記凸条は、前記係止爪が移動する方向にほぼ垂直な方向に延びるように形成された、電気機器。
【請求項３】
枠体と、
前記枠体の表面に対する傾斜角度が変更可能に形成された表示部と、
前記枠体の表面に配置された係合部材と
を備え、
前記表示部は、一方の端部の幅方向の側面が前記枠体に支持され、
前記表示部は、前記一方の端部に、外側に向かうように形成された係止爪を含み、
前記係合部材は、前記係止爪に接触する係合部を含み、
前記係合部材は、前記係止爪に接触する側の表面に複数の凸条を含み、
前記凸条は、前記係止爪が移動する方向にほぼ垂直な方向に延びるように形成された、電気機器。
【請求項４】
前記係合部において、前記凸条の延びる方向に沿って、切り込み部または溝部が形成された、請求項２または３に記載の電気機器。
【請求項５】
前記係合部に前記切り込み部が形成され、
前記切り込み部は、少なくとも一部が前記係止爪と前記係合部とが接触する領域と重なるように形成された、請求項４に記載の電気機器。
【請求項６】
前記係合部に前記溝部が形成され、
前記溝部は、少なくとも一部が前記係止爪と前記係合部とが接触する領域と重なるように形成された、請求項４に記載の電気機器。
【発明の詳細な説明】
【技術分野】
【０００１】
本発明は、電気機器および複合プリンタ装置に関する。
【背景技術】
【０００２】
電気機器の中には、操作状況や画像などを表示するための表示部を備える機器がある。さらに、机に置かれたり壁に掛けられたりしたときに、表示部を見やすくするために表示部の主表面の向きが変更できるように形成された電気機器がある。すなわち、表示部の角度が変更可能に形成された電気機器がある。
【０００３】
たとえば、特開平１１−３３８３６２号公報においては、薄型表示装置のチルト機構として、スタンドのベース部の底面に高さ調整部材を備える表示装置が開示されている。この表示装置によれば、高さ調整部材は、半径が周方向に漸次変化する半径漸変カムを備え、半径漸変カムが、歯車状の係合部を介してストッパに固定されるように形成されている。半径漸変カムを適宜回転させた後にスタンドベース部を設置面に置くと、ストッパが歯車状の係合部の溝に係合して、半径漸変カムの回転を拘束する。
【０００４】
高さ調整部材は、半径漸変カムの回転位置により、高さ調整部材の高さが高くまたは低くなり、スタンドベース部の高さを調整することができる。この高さ調整部材は、スタンドベース部の前方に配置されているため、スタンドベース部の傾斜角度が、高さ調整部材の回転角度によって変化して、表示部の傾斜角度が変化できるように形成されている。
【０００５】
また、特開２００１−２７４５６４号公報においては、操作パネルが回動可能に形成された電子操作卓が開示されている。この電子操作卓には、表示部を傾斜させるチルト装置を備える。チルト装置は、操作パネルに揺動可能に取付けられて設置面に当接するチルト脚部材と、チルト脚部材と連動して装置本体を所定の傾斜角度に支えるチルトステーとを有する。装置本体の裏側には、複数の係止歯が縦列した係止歯列が形成され、チルトステーが係止歯列に係合するように形成されている。また、このチルト装置は、チルトステーを係止歯列に付勢する付勢手段を備える。
【０００６】
この電子操作卓は、操作パネルの引起し操作により、チルトステーを係止歯列の係止歯上を滑らすことができ、操作を停止することにより、チルトステーを係止歯のいずれかに選択的に係止させて操作パネルをある角度に保持することができると開示されている。
【０００７】
また、特開２００２−３６６０４７号公報においては、ディスプレイ装置用の画面角度調整装置が開示されている。この画面角度調整装置においては、ディスプレイ装置の高さ方向の上部をジャッキ装置で支持して、ディスプレイ装置の高さ方向のほぼ中央部分を第１アームで支持して、さらに、ディスプレイ装置の高さ方向の下部を第２アームで支持する。ジャッキ装置は、ねじジャッキ装置や油圧式のジャッキ装置などで形成され、伸縮可能に形成されている。ジャッキ装置を伸縮することにより、ディスプレイ装置の傾斜角度が変更できることが開示されている。
【特許文献１】特開平１１−３３８３６２号公報
【特許文献２】特開２００１−２７４５６４号公報
【特許文献３】特開２００２−３６６０４７号公報
【発明の開示】
【発明が解決しようとする課題】
【０００８】
上記の特開平１１−３３８３６２号公報に開示された薄型表示装置のチルト機構においては、スタンドと表示パネルとが一体的に動くため、小型の表示部を備える電気機器には向かないという問題がある。すなわち、表示パネルを支持するためのスタンド部が形成されていない電気機器には適用できないという問題がある。たとえば、テレビジョン受像機のリモート操作機に表示部を形成する場合は、リモート操作機を手に持って操作するために上記の発明を適用できない。また、小型の表示装置には、高さ調整部材自体が非常に小さくなって不向きであるという問題がある。
【０００９】
特開２００１−２７４５６４号公報に開示された電子操作卓においては、チルト脚部材、チルトステー、係止歯列、およびチルトステーを係止歯列に対して付勢するための捩りばねなどが必要であり、構造が複雑であるとともに、必要な部品点数が多いという問題がある。
【００１０】
また、特開２００２−３６６０４７号公報に開示されたディスプレイ装置においても、第１アーム、第２アームおよびジャッキ装置が必要であり、構造が複雑であるとともに部品点数が多いという問題がある。
【００１１】
上記の文献に開示された表示部の傾斜角度を変更する機構は、パーソナルコンピュータの表示装置やテレビジョン受像機などの大型の表示部を備える電気機器には適しているものの、構造が複雑であるために小型化が困難で、小型の表示部を備える電気機器には不向きであるという問題があった。たとえば、電話機に配置された表示部やプリンタ複合機に配置された表示部には不向きであるという問題があった。
【００１２】
本発明は、上記の問題点を解決するためになされたものであり、簡易な構成で傾斜角度が変更可能な構成の表示部を備える電気機器および複合プリンタ装置を提供することを目的とする。
【課題を解決するための手段】
【００１３】
上記目的を達成するため、本発明に基づく複合プリンタ装置は、ＬＣＤユニットを幅方向の両側から支持するための支持ピンを含むトップハウジングと、一方の端部の側面に上記支持ピンを挿入するための挿入部を含むＬＣＤユニットと、上記幅方向に延びるように複数の凸条が形成され、上記トップハウジングに支持されるための支持部を含む係合部材とを備える。上記ＬＣＤユニットは、上記一方の端部に外側に向かうように形成された係止爪を含み、上記係合部材は、上記幅方向に延びるように形成された切り込み部を有する。上記切り込み部は、上記凸条が形成されている部分のうち、上記支持部が形成されている側の端部に形成され、上記トップハウジングは、上記係止爪と対向する位置に開口部を有する。上記係合部材は、上記凸条が上記係止爪と接触するように上記開口部に配置されている。上記支持ピンが上記挿入部に挿入されることによって、上記支持ピンを軸として上記ＬＣＤユニットの傾斜角度が変更可能に形成され、上記係止爪が上記凸条同士の間に配置されることにより、上記ＬＣＤユニットの上記傾斜角度が固定されるように形成されている。この構成を採用することにより、簡易な構成で傾斜角度が変更可能な構成の表示部を備える複合プリンタ装置を提供することができる。
【００１４】
上記目的を達成するため、本発明に基づく電気機器は、枠体と、上記枠体の表面に対する傾斜角度が変更可能に形成された表示部とを備える。上記表示部は、一方の端部の幅方向の側面が上記枠体に支持され、上記表示部は、上記一方の端部に、外側に向かうように形成された係止爪を含む。上記枠体は、上記係止爪に接触する係合部を含み、上記係合部は、上記係止爪に接触する側の表面に複数の凸条を含む。上記凸条は、上記係止爪が移動する方向にほぼ垂直な方向に延びるように形成されている。この構成を採用することにより、簡易な構成で傾斜角度が変更可能な表示部を備える電気機器を提供することができる。
【００１５】
または、本発明に基づく電気機器は、枠体と、上記枠体の表面に対する傾斜角度が変更可能に形成された表示部と、上記枠体の表面に配置された係合部材とを備える。上記表示部は、一方の端部の幅方向の側面が上記枠体に支持され、上記表示部は、上記一方の端部に、外側に向かうように形成された係止爪を含む。上記係合部材は、上記係止爪に接触する係合部を含み、上記係合部材は、上記係止爪に接触する側の表面に複数の凸条を含む。上記凸条は、上記係止爪が移動する方向にほぼ垂直な方向に延びるように形成されている。この構成を採用することにより、簡易な構成で変更可能な構成の表示部を備える電気機器を提供することができる。
【００１６】
上記発明において好ましくは、上記係合部において、上記凸条の延びる方向に沿って、切り込み部または溝部が形成されている。この構成を採用することにより、上記係止爪が、上記係合部材と接触しながら移動するときに生じる音を小さくすることができる。また、上記表示部の傾斜角度を変更するときの動きが滑らかになる。
【００１７】
上記発明において好ましくは、上記係合部に上記切り込み部が形成され、上記切り込み部は、少なくとも一部が上記係止爪と上記係合部とが接触する領域と重なるように形成されている。または、上記係合部に上記溝部が形成され、上記溝部は、少なくとも一部が上記係止爪と上記係合部とが接触する領域と重なるように形成されている。これらのうちいずれかの構成を採用することにより、上記係合部を含む部分の柔軟性を向上させることができ、上記表示部の傾斜角度を変更するときの音をさらに小さくすることができる。または、上記表示部の傾斜角度を変更するときの動きをより滑らかにすることができる。
【発明の効果】
【００１８】
本発明によれば、簡易な構成で傾斜角度が変更可能な表示部を備える電気機器および複合プリンタ装置を提供することができる。
【発明を実施するための最良の形態】
【００１９】
（構成）
図１から図１２を参照して、本発明に基づく実施の形態における電気機器および複合プリンタ装置について説明する。
【００２０】
はじめに図１から図３を参照して、本実施の形態における電気機器のうち、複合プリンタ装置について説明する。図１に、傾斜角度が変更可能な表示部を備える複合プリンタ装置の概略斜視図を示す。本実施の形態における複合プリンタ装置は、スキャナ装置としての機能とプリンタ装置としての機能とを併せ持つスキャナプリンタ装置である。
【００２１】
本実施の形態における複合プリンタ装置は、矢印５３に示すように開閉可能に形成された原稿押え３１を上部に備える。原稿押え３１は、平板状に形成され、原稿をガラス板３２に向かって押え付けるために形成されている。
【００２２】
複合プリンタ装置は、枠体としてボトムハウジング３０およびトップハウジング５を含む。ボトムハウジング３０の上面には、ガラス板３２が配置されている。ガラス板３２の上側に原稿押え３１が配置されている。ガラス板３２の内側には画像読取装置が配置され、ガラス板３２の上面に配置される原稿を画像として読取ることができるように形成されている。
【００２３】
ボトムハウジング３０の前面には、印刷された用紙などを排出するための排紙口３４が形成されている。排紙口３４には、用紙を一時的に置くための用紙トレイ３３が配置されている。また、ボトムハウジング３０の前面には、デジタルカメラなどで撮影された画像などの電子情報を含むメモリカードを挿入するためのカード挿入口３５が形成されている。カード挿入口３５の内側にはメモリカードスロットが形成されている。
【００２４】
ボトムハウジング３０の上側において、原稿押え３１の側方には、トップハウジング５が形成されている。トップハウジング５には、操作ボタンとして４方向ボタン７および複数の押しボタン８などが配置されている。使用者は、これらの操作ボタンを操作することにより、画像を読込んだり印刷を行なったりすることができる。
【００２５】
トップハウジング５には、運転状況や操作状況を文字情報として表示したり、印刷を行なう前にメモリカードに記録された画像を表示したりするための表示部が形成されている。
【００２６】
図２に、トップハウジングの斜視図を示す。この複合プリンタ装置には、トップハウジング５に、表示部としてＬＣＤ（Liquid Crystal Display）ユニット１が配置されている。ＬＣＤユニット１は、液晶表示パネル２と、液晶表示パネル２のハウジングとしてのＬＣＤハウジング３とを含む。ＬＣＤユニット１は、傾斜角度が変更可能なように形成されている。
【００２７】
図３に、ＬＣＤユニット１の傾斜角度を変更したときの斜視図を示す。ＬＣＤユニット１は、前方から見やすくするために、矢印５４に示す方向に回動するように形成されている。本実施の形態においては、ＬＣＤユニット１は、図２に示すように液晶表示パネル２の主表面とトップハウジング５の表面とがほぼ同一平面状である傾斜角度が０°の状態から、液晶表示パネル２の主表面とトップハウジング５の表面とがほぼ垂直になる傾斜角度がほぼ９０°の状態まで回動可能なように形成されている。
【００２８】
図４は、トップハウジングのＬＣＤユニットを支持する部分の概略拡大斜視図である。図４は、トップハウジングのカバーを取り除いたときの概略拡大斜視図である。
【００２９】
トップハウジング５の主表面には、４方向ボタンを配置するためのボタン配置穴３８および単一の押しボタンを配置するための複数のボタン配置穴３７が形成されている。
【００３０】
トップハウジング５には、窪み部３６が形成され、窪み部３６にＬＣＤユニット１が収容されるように形成されている。窪み部３６の端部には、ＬＣＤユニット１を幅方向の両側から支持するための支持ピン１１が形成されている。支持ピン１１は、トップハウジング５の幅方向に延びるように形成され、トップハウジング５の内側に向かうように形成されている。支持ピン１１は、円柱状に形成されている。支持ピン１１は、トップハウジング５の幅方向の端部に形成され、ＬＣＤユニット１を挟み込むように形成されている。
【００３１】
また、窪み部３６の端部には、ＬＣＤユニット１の傾斜角度を定める係合部材を配置するための開口部２９が形成されている。開口部２９は、窪み部３６の底面の一部および側面の一部を開口するように形成されている。開口部２９には、係止部材を固定できるように形成された挟持部２６を含む。挟持部２６は、開口部２９の幅方向に沿って棒状に形成されている。
【００３２】
図５に、ＬＣＤユニット１のうちＬＣＤハウジング３の斜視図を示す。ＬＣＤハウジング３は、平面形状がほぼ長方形になるように形成されている。この長方形の１辺に対応する端部の両側面には、トップハウジング５に形成された支持ピン１１を挿入するための挿入部２５が形成されている。挿入部２５は、円柱状の支持ピン１１が挿入できるように円柱状の有底の穴になるように形成されている。
【００３３】
ＬＣＤハウジング３は、挿入部２５が形成されている側の端部に形成された係止爪１２を含む。係止爪１２は、ＬＣＤハウジング３の外側に向かうように形成されている。本実施の形態における係止爪１２は、平板状に形成されている。係止爪１２は、平面形状がほぼ台形になるように形成されている。係止爪１２は、台形の互いに平行な２辺のうち、長い辺がＬＣＤハウジング３の本体に接合されるように形成されている。また、係止爪１２は、トップハウジング５に形成された開口部２９に対向する位置に形成されている。
【００３４】
図６に、トップハウジングの開口部に配置されるべき係合部材の一の斜視図を示す。係合部材１０は、側面の形状が湾曲した板状の部分である湾曲板部２３を備える。湾曲板部２３の一方の端部には、トップハウジングに支持されるための支持部２８が形成されている。支持部２８は、側面の形状が略台形の板状に形成され、トップハウジングの開口部の一部分に嵌合するように形成されている。
【００３５】
係合部材１０の湾曲板部２３の表面には、幅方向に延びるように、複数の凸条２０が形成されている。凸条２０は、延びる方向が互いに平行になるように形成されている。本実施の形態においては、４つの凸条２０が形成されている。凸条２０は、係止爪が移動する方向にほぼ垂直な方向に延びるように形成されている。
【００３６】
湾曲板部２３において、凸条２０の形成されている面がＬＣＤハウジング３の係止爪１２（図５参照）と係合する係合部２２である。すなわち、係合部２２に複数の凸条２０が形成されている。本実施の形態においては、凸条２０の断面形状が山形になるように形成され、複数の凸条が配列することにより凹凸形状が形成されている。すなわち、係合部材は、一方の表面に段形状のカムが形成された係合部を有する。本実施の形態においては、係合部材１０は、ＰＯＭ（Poly Oxy Methlene）樹脂で形成されている。
【００３７】
図７に、係合部材の他の斜視図を示す。本実施の形態における係合部材１０は、切り込み部２７を有する。すなわち、湾曲板部２３の支持部２８が形成されている側の端部に、切り込み部２７が形成されている。切り込み部２７は、幅方向に延びるように形成されている。すなわち、切り込み部２７は、凸条が延びる方向とほぼ平行に延びるように形成されている。切り込み部２７は、幅方向の一方の端部から、内側に向かうように形成されている。切り込み部２７は、湾曲板部２３を貫通するように形成されている。
【００３８】
図８に、ＬＣＤユニットと係合部材との接触部分の拡大概略断面図を示す。また、図９にＬＣＤユニットをトップハウジングに固定するときの概略平面図を示す。
【００３９】
図４〜図９を参照して、係合部材１０は、トップハウジング５の開口部２９に配置される。トップハウジング５の開口部２９には、挟持部２６が形成されている。係合部材１０は、挟持部２６とトップハウジング５の開口部の側面とに挟持されることにより固定される。係合部材１０は、支持部２８が、挟持部２６とトップハウジング５の側壁とに挟まれて固定される。また、トップハウジング５の開口部２９には、補助部３９が形成されている。補助部３９は、係合部材１０の支持部２８が形成されている側と反対側の表面に当接するように形成されている。係合部材１０は、補助部３９が接触することにより補助的に支持される。係合部材１０は、湾曲板部２３の延びる方向（幅方向に垂直な方向）において、支持部２８が形成されている側が固定端になる。係合部材１０は、支持部２８が形成されている側と反対側が自由端になる。
【００４０】
係合部材１０は、凸条２０が形成された側の面の係合部がＬＣＤユニット１が配置される側になるように配置される。ＬＣＤハウジング３に形成された係止爪１２は、係合部材１０の凸条２０が形成されている係合部に接触する。
【００４１】
図２から図５を参照して、ＬＣＤハウジング３の内部に液晶表示パネル２が配置される。図２から図５、および図８を参照して、ＬＣＤハウジング３の挿入部２５に、トップハウジング５の支持ピン１１が挿入されることよって、ＬＣＤハウジング３が支持ピン１１に支持される。
【００４２】
図９を参照して、ＬＣＤハウジング３の係止爪１２が係合部材１０に向かうように、ＬＣＤハウジング３がトップハウジング５に装着される。係止爪１２は、トップハウジング５の開口部２９に対応する位置に形成されている。ＬＣＤハウジング３は、矢印５１に示すように、係止爪１２と係合部材１０とが接触するように装着される。
【００４３】
図１０に係止爪と係合部材との幅方向の大きさの相関と位置関係を示す概略平面図を示す。矢印５２に示す領域が、係止爪１２が係合部材１０と接触する領域である。係合部材１０は、幅方向の大きさが係止爪１２が接触する領域よりも大きくなるように形成されている。切り込み部２７は、係止爪１２が接触する領域の少なくとも一部を含むように形成されている。また、係合部２２において、切り込み部２７の延びる方向において、切り込み部２７が形成されていない部分と係止爪１２とが接触するように形成されている。
【００４４】
図１１に、本実施の形態における一の係合部材の係合部の概略断面図を示す。本実施の形態における係合部２２は、断面形状が山形の複数の凸条２０を含み、この山形の形状が連続して連なるように形成されている。すなわち、複数の凸条２０は、断面形状の山形の裾野の部分が互いに隣り合う凸条２０と重なるように形成されている。
【００４５】
図１２に、本実施の形態における他の係合部材の係合部の概略断面図を示す。係合部材１３の凸条２１は、断面形状が山形に形成されている。それぞれの凸条２１は、互いに離れるように形成されている。矢印５６に示す凸条２１の高さは、図１１の矢印５５に示す凸条２０の高さとほぼ同じになるように形成されている。
【００４６】
（作用・効果）
図１を参照して、使用者は４方向ボタン７や単一の押しボタン８などを用いることにより、複合プリンタ装置を操作する。このとき、複合プリンタ装置の配置されている位置に応じてＬＣＤユニット１を起こして使用する。たとえば、図３に示すように、ＬＣＤユニット１を傾斜させて使用する。ＬＣＤユニット１を立て起こすことにより、表示部を見やすくすることができる。また、液晶表示パネルには視野角の狭いものがあるが、このような液晶表示パネルに対してもＬＣＤユニット１を傾斜させることにより、表示部の表示を確認することができる。
【００４７】
図８を参照して、ＬＣＤハウジング３は、支持ピン１１を支軸として、矢印５０に示す向きに回動する。ＬＣＤハウジング３の係止爪１２は、係合部材１０の表面のうち凸条２０が形成されている係合部に接触する。矢印５０に示すようにＬＣＤハウジング３の傾斜角度を変更すると、係止爪１２が凸条２０が形成されている係合部に接触しながら移動する。係合部材１０は、支持部２８がトップハウジング５に固定された状態であり、支持部２８が形成されている側と反対側が自由端となって湾曲板部２３が湾曲する。
【００４８】
係合部材１０が係止爪１２を押圧するため、係止爪１２が凸条２０同士の間の凹の部分に選択的に配置される。ＬＣＤハウジング３が一の傾斜角度で停止する。すなわち、ＬＣＤハウジング３は、凹の部分に対応する傾斜角度で固定されるように形成されている。本実施の形態においては、ＬＣＤハウジング３の傾斜角度がほぼ０°の状態からほぼ９０°の状態まで変更可能なように形成されている。
【００４９】
本実施の形態における複合プリンタ装置は、枠体の表面に配置された係合部材を含み、係合部材はＬＣＤハウジングに形成された係止爪が接触する係合部を含む。係合部材は、係止爪に接触する側の表面に複数の凸条を含み、凸条が係止爪が移動する方向にほぼ垂直な方向に延びるように形成されている。この構成を採用することにより、構成が容易で傾斜角度が変更可能な表示部を備える複合プリンタ装置を提供することができる。
【００５０】
本実施の形態においては、係合部材に凸条の延びる方向とほぼ平行な方向に切り込み部が形成されている。この構成を採用することによって、切り込み部が形成されている領域において幅方向の長さが短くなる。また、切り込み部が形成されている領域において、係合部材が曲がりやすくなる。
【００５１】
図８を参照して、矢印５０に示すように、ＬＣＤハウジング３の傾斜角度を変更するときに、係止爪１２が係合部材１０に接触しながら移動する。このときにプラスチック部材同士が擦れたり、衝突したりする音が生じる。たとえば、「カチッ」という高い音が生じる。この音は使用者に不快感を与える場合がある。または、低級な装置であるという印象を与える場合がある。係合部に切り込み部を形成することにより、プラスチック部材同士が係わり合って生じる音を小さくすることができる。または、この音が生じることを防止できる。また、表示部の傾斜角度を変更する時に、滑らかに表示部を回動させることができる。
【００５２】
さらに、本実施の形態においては、切り込み部の一部が係止爪と係合部とが接触する領域と重なるように形成されている。この構成を採用することにより、ＬＣＤユニットの傾斜角度を変更するときの音をより小さくすることができる。また、より滑らかに表示部を回動させることができる。
【００５３】
さらに、図８を参照して、本実施の形態においては凸条２０の断面形状である山形が連なるように形成されている。または、凸条２０の斜面の角度が緩やかに形成されている。この構成を採用することにより、ＬＣＤユニットの傾斜角度を変更するときに生じる音をより低減することができる。
【００５４】
凸条としては、図１２に示すように、凸条２１の斜面が急峻に形成されていても構わない。しかしながら、図１１に示すように、凸条２０の斜面の傾斜角度は緩やかである方が好ましい。または、凸条は、図１２に示すように、凸条２１同士が互いに離れるように形成されていても構わない。
【００５５】
本実施の形態においては、枠体と係合部材とが別部材で形成されている。すなわち、枠体と係合部材とが分離可能に形成されている。この構成を採用することにより、係合部を容易に形成することができる。また、係合部の形状を精度よく形成することができる。さらに、係合部材を枠体と別部材にすることにより、係合部材を動きが滑らかになる材質を用いて形成することができ、係止爪と係合部とが係わり合って生じる音をさらに小さくすることができる。
【００５６】
しかし、係合部としては、特にこの形態に限られず、枠体と係合部材とが一体的に形成されていても構わない。すなわち、枠体に対して複数の凸条を含む係合部が形成されていても構わない。この構成を採用することにより部品点数を少なくすることができ、生産性が向上する。
【００５７】
また、本実施の形態においては、係合部において湾曲板部を貫通するような切り込み部が形成されているが、特にこの形態に限られず、切り込み部の代わりに溝部が形成されていても構わない。係合部に溝部が形成されていることにより、溝部が形成されている領域の厚さを薄くすることができる。この薄くなった部分において、係合部が曲がりやすくなって、ＬＣＤユニットの傾斜角度を変更するときに生じる音を低減することができ、動きを滑らかにすることができる。
【００５８】
係合部に溝部が形成される場合においても、溝部は、少なくとも一部が係止爪と係合部とが接触する領域と重なるように形成されていることが好ましい。この構成を採用することにより、係止爪と係合部とが係わり合う音をより低減することができ、また、より動きを滑らかにすることができる。
【００５９】
さらに、係合部に切り込み部または溝部を形成することにより、耐久性を向上させることができる。たとえば、切り込み部または溝部が形成されず、ＰＯＭで形成された係合部材と、ＰＳ（ポリスチレン）で形成された係止爪とを用いて耐久試験を行なうと、係止爪の５００回以下の往復運動で係止爪が擦り減ってしまった。しかし、係合部材に切り込み部を形成することにより、係合部材が曲がりやすくなって、係合部材と係止爪との摩擦を小さくすることができる。この結果、係止爪の往復運動の回数を２２００回程度まで向上させることができた。
【００６０】
また、本実施の形態においては、係合部材として湾曲板部を含むものが用いられているが、特にこの形態に限られず、平板状の部材に凸条が形成されていても構わない。さらに、係止爪は平板状の形状に限られず、凹凸が形成されている係合部に当接して引掛けることができる任意の形状のものを採用することができる。
【００６１】
本実施の形態においては、係合部の幅方向の中心と、係止爪が係合部に接触する領域における係止爪の幅方向の中心とがほぼ一致するように形成されている。この構成を採用することにより、より効果的に上記の音を小さくすることができる。係合部としては、特にこの形態に限られず、任意の位置で係合部と係止爪とを接触させることができる。
【００６２】
本実施の形態においては、表示部として、ＬＣＤユニットを例に取上げて説明したが、特にこの形態に限られず、任意の表示部に対して、本発明を適用することができる。たとえば、表示部として、有機ＥＬ（Electro Luminescence）表示パネルを採用することができる。
【００６３】
また、電気機器としては、複合プリンタ装置に限られず、表示部を有する電気機器に本願発明を適用することができる。たとえば、複合プリンタ装置の他に、スキャナ装置、電話機、テレビジョン受像機のリモート操作機などに本願発明を適用することができる。
【００６４】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【図面の簡単な説明】
【００６５】
【図１】複合プリンタ装置の斜視図である。
【図２】複合プリンタ装置の操作部の一の斜視図である。
【図３】複合プリンタ装置の操作部の他の斜視図である。
【図４】実施の形態におけるトップハウジングのＬＣＤユニットが取付けられる部分の拡大斜視図である。
【図５】実施の形態におけるＬＣＤハウジングの概略斜視図である。
【図６】実施の形態における係合部材の一の斜視図である。
【図７】実施の形態における係合部材の他の斜視図である。
【図８】実施の形態における複合プリンタ装置の係止爪と係合部材とが接触する部分の拡大概略断面図である。
【図９】実施の形態における係止爪と係合部材との位置関係を説明する一の概略平面図である。
【図１０】実施の形態における係止爪と係合部材との位置関係を説明する他の概略平面図である。
【図１１】実施の形態における一の係合部材の係合部の拡大概略断面図である。
【図１２】実施の形態における他の係合部材の係合部の拡大概略断面図である。
【符号の説明】
【００６６】
１  ＬＣＤユニット、２  液晶表示パネル、３  ＬＣＤハウジング、５  トップハウジング、７  ４方向ボタン、８  ボタン、１０，１３  係合部材、１１  支持ピン、１２  係止爪、２０，２１  凸条、２２  係合部、２３  湾曲板部、２５  挿入部、２６  挟持部、２７  切り込み部、２８  支持部、２９  開口部、３０  ボトムハウジング、３１  原稿押え、３２  ガラス板、３３  用紙トレイ、３４  排紙口、３５  カード挿入口、３６  窪み部、３７，３８  ボタン配置穴、３９  補助部、５０〜５６  矢印。
【図１】
2006168173.tif 000003
【図２】
2006168173.tif 000004
【図３】
2006168173.tif 000005
【図４】
2006168173.tif 000006
【図５】
2006168173.tif 000007
【図６】
2006168173.tif 000008
【図７】
2006168173.tif 000009
【図８】
2006168173.tif 000010
【図９】
2006168173.tif 000011
【図１０】
2006168173.tif 000012
【図１１】
2006168173.tif 000013
【図１２】
2006168173.tif 000014